(57)【要約】      （修正有）【課題】簡単な構造により地震等により転倒するのを確実に防止する。【解決手段】テレビ本体ＴＶの液晶表示画面部枠体１００の上下各々の左右に係合止め用の鍵型アーム２０１、４０１を先部に形成した第一水平支持アーム２００及び第二水平支持アーム４００と、液晶表示画面部枠体１００の後部の左右に先端部を当接係合具９０１で係合連結した第三水平支持アーム３００と、液晶表示画面部枠体１００の後方で前記第一・第二・第三水平支持アーム２００，４００，３００の後部をアーム連結具７００で上下と前後に位置調節可能に支持連結するスタンドアーム５００と、スタンドアーム５００の下部を連結支持するスタンド連結具６００とを有し、スタンド連結具に水平旋回用アーム８０１と固定台８０２を介して載置台８００に連結した。【選択図】図１
2012235433.tif 000002
【特許請求の範囲】
【請求項１】
載置台６００にテレビ本体ＴＶを載置支持する際に用いる装置であって、テレビ本体ＴＶの液晶表示画面部枠体１００の上下各々の左右に係合止め用の鍵型アーム２０１ａ，２０１ｂ，４０１ａ，４０１ｂを先部に形成した第一水平支持アーム２００ａ，２００ｂ及び第二水平支持アーム４００ａ，４００ｂと、液晶表示画面部枠体１００の後部の左右に先端部３０１ａ，３０１ｂを当接係合具９０１ａ，９０１ｂで係合連結した第三水平支持アーム３００ａ，３００ｂと、液晶表示画面部枠体１００の後方で前記第一・第二・第三水平支持アーム２００ａ，２００ｂ，４００ａ，４００ｂ，３００ａ，３００ｂの後部をアーム連結具７００ａ−１，７００ａ−２，７００ｂ−１，７００ｂ−２，７００ｃ−１，７００ｃ−２で上下と前後に位置調節可能に支持連結するスタンドアーム５００ａ，５００ｂと、スタンドアーム５００ａ，５００ｂの下部を連結支持するスタンド連結具６００ａ，６００ｂと、スタンド連結具６００ａ，６００ｂを両側部に取り付け中央部を載置台８００固定取り付け用の固定台８０２に水平旋回可能に連結支持した水平旋回用アーム８０１と、からなる載置テレビ転倒防止装置。
【請求項２】
載置台６００にテレビ本体ＴＶを載置支持する際に用いる装置であって、テレビ本体ＴＶの液晶表示画面部枠体１００の上下各々の左右に係合止め用の鍵型アーム２０１ａ，２０１ｂ，４０１ａ，４０１ｂを先部に形成した第一水平支持アーム２００ａ，２００ｂ及び第二水平支持アーム４００ａ，４００ｂと、液晶表示画面部枠体１００の後部の左右に先端部３０１ａ，３０１ｂ当接係合具９０１ａ，９０１ｂで係合連結した第三水平支持アーム３００ａ，３００ｂと、液晶表示画面部枠体１００の後方で前記第一・第二・第三水平支持アーム２００ａ，２００ｂ，４００ａ，４００ｂ，３００ａ，３００ｂの後部をアーム連結具７００ａ−１，７００ａ−２，７００ｂ−１，７００ｂ−２，７００ｃ−１，７００ｃ−２で上下と前後に位置調節可能に支持連結するスタンドアーム５００ａ，５００ｂと、スタンドアーム５００ａ，５００ｂの下部を連結支持するスタンド連結具６００ａ，６００ｂと、スタンド連結具６００ａ，６００ｂを両側部に取り付けた水平旋回用アーム８０１と、水平旋回用アーム８０１の下部両側部に基部８１１を取り付け載置台８００の載置面に吸引吸着する弾性吸盤８１０を備えた吸着装置８２０と、からなる載置テレビ転倒防止装置。
【請求項３】
載置台６００にテレビ本体ＴＶを載置支持する際に用いる装置であって、テレビ本体ＴＶの液晶表示画面部枠体１００の上下各々の左右に係合止め用の鍵型アーム２０１ａ，２０１ｂ，４０１ａ，４０１ｂを先部に形成した第一水平支持アーム２００ａ，２００ｂ及び第二水平支持アーム４００ａ，４００ｂと、液晶表示画面部枠体１００の後部の左右に先端部を当接係合具９０１ａ，９０１ｂで係合連結した第三水平支持アーム３００ａ，３００ｂと、液晶表示画面部枠体１００の後方で前記第一・第二・第三水平支持アーム２００ａ，２００ｂ，４００ａ，４００ｂ，３００ａ，３００ｂの後部をアーム連結具７００ａ−１，７００ａ−２，７００ｂ−１，７００ｂ−２，７００ｃ−１，７００ｃ−２で上下と前後に位置調節可能に支持連結するスタンドアーム５００ａ，５００ｂと、スタンドアーム５００ａ，５００ｂの下部を連結支持するスタンド連結具６００ａ，６００ｂと、スタンド連結具６００ａ，６００ｂの下部を連結支持し載置台８００の載置面に吸引吸着する弾性吸盤８１０を備えその弾性吸盤８１０の基部８１１をスタンドアーム５００ａ，５００ｂのスタンド連結具６００ａ，６００ｂに連結する吸着装置８２０と、からなる載置テレビ転倒防止装置。
【発明の詳細な説明】
【技術分野】
【０００１】  本発明は、机、専用ラック、棚等の載置台の上に載置するテレビジョン（以下テレビと称する）の転倒防止装置に関するものである。
【背景技術】
【０００２】  最近のテレビは、インテリアディスプレイとして視覚的及び聴覚的に優れた機能を付加して次のような仕様の趨勢にある。
１．テレビ画面の薄型化に伴う大型の液晶表示画面化。
２．テレビ画面以外の構成部：チューナ、レコーダ等は裏面側に薄く一体的にコンパクト収容。
３．１と２によりテレビ本体の重量増加。
４．スタンド脚部は上部を細くしテレビ本体の中央部に位置させ底部を末広がりにした目立たない不安定型。
５．テレビ画面部を含むテレビ本体と、支持脚との形状及び重量の不均衡状態化。
６．設置施設、部屋の種類や設置位置などに応じた多種多様のサイズ構成。【０００３】  このような趨勢からテレビを机、専用ラック、棚等の載置台の上に載置する際は、特に地震等による大きな振動を受けたり、児童やお年寄りがうっかり接触しても転倒しないように転倒防止装置（器具）を付設している。【０００４】  従来のテレビ用の転倒防止装置（器具）は、次のようなものが公知である。
１）、スタンド脚部を載置台にアンカーネジで連結固定し、テレビ本体の上部と載置台の後部をワイヤー連結して前面倒壊を防止する方法。
２）、載置台とテレビ本体に亘る多数本の縦・横チャンネルで組み立て構成した大型で重量のある堅牢な耐震用ラック取り付け金具。
３）、スタンド脚部の両側部を伸縮ベルトで載置台に連結支持する方法。【０００５】  これ等は何れも、インテリアディスプレイとして視覚的に見栄えが悪く、また、テレビを移動設置する際、その都度、繁雑で面倒な手間を必要とする取り外し・取り付け作業を伴う。
また、いずれにおいても固定された構成なので、テレビの多種多様な形状仕様の変化に対処できない不便さがある。
更に、テレビ画面の方向変更は、載置台と共に位置変更しなければならない不便さがある。
【発明の概要】
【発明が解決しようとする課題】
【０００７】  本発明は、○簡単な構造により地震、外部振動等による振動をある程度吸収緩衝して、テレビ本体が転倒するのを確実に防止するものであり、○しかもインテリアディスプレイとして視覚的に見栄えが良く、○またテレビ本体を移動設置する際は、その都度、容易に取り外し・取り付け作業ができ、○またテレビの多種多様な形状仕様の変化に対処できる汎用性と簡便さを有し、○更にテレビ画面の方向の変更は載置台を動かさずに容易に実施できる等の優れた機能を有する載置テレビ転倒防止装置を提供する。
【課題を解決するための手段】
【０００８】  本発明は上記の課題を満足するものでありその特徴とするところは次の（１）〜（３）の通りである。
（１）、図１〜図７に示すように、載置台６００にテレビ本体ＴＶを載置支持する際に用いる装置であって、テレビ本体ＴＶの液晶表示画面部枠体１００の上下各々の左右に係合止め用の鍵型アーム２０１ａ，２０１ｂ，４０１ａ，４０１ｂを先部に形成した第一水平支持アーム２００ａ，２００ｂ及び第二水平支持アーム４００ａ，４００ｂと、液晶表示画面部枠体１００の後部の左右に先端部３０１ａ，３０１ｂを当接係合具９０１ａ，９０１ｂで係合連結した第三水平支持アーム３００ａ，３００ｂと、液晶表示画面部枠体１００の後方で前記第一・第二・第三水平支持アーム２００ａ，２００ｂ，４００ａ，４００ｂ，３００ａ，３００ｂの後部をアーム連結具７００ａ−１，７００ａ−２，７００ｂ−１，７００ｂ−２，７００ｃ−１，７００ｃ−２で上下と前後に位置調節可能に支持連結するスタンドアーム５００ａ，５００ｂと、スタンドアーム５００ａ，５００ｂの下部を連結支持するスタンド連結具６００ａ，６００ｂと、スタンド連結具６００ａ，６００ｂを両側部に取り付け中央部を載置台８００固定取り付け用の固定台８０２に水平旋回可能に連結支持した水平旋回用アーム８０１と、
からなる載置テレビ転倒防止装置。【０００９】（２）、図１〜図５に示すように、載置台６００にテレビ本体ＴＶを載置支持する際に用いる装置であって、テレビ本体ＴＶの液晶表示画面部枠体１００の上下各々の左右に係合止め用の鍵型アーム２０１ａ，２０１ｂ，４０１ａ，４０１ｂを先部に形成した第一水平支持アーム２００ａ，２００ｂ及び第二水平支持アーム４００ａ，４００ｂと、液晶表示画面部枠体１００の後部の左右に先端部３０１ａ，３０１ｂ当接係合具９０１ａ，９０１ｂで係合連結した第三水平支持アーム３００ａ，３００ｂと、液晶表示画面部枠体１００の後方で前記第一・第二・第三水平支持アーム２００ａ，２００ｂ，４００ａ，４００ｂ，３００ａ，３００ｂの後部をアーム連結具７００ａ−１，７００ａ−２，７００ｂ−１，７００ｂ−２，７００ｃ−１，７００ｃ−２で上下と前後に位置調節可能に支持連結するスタンドアーム５００ａ，５００ｂと、スタンドアーム５００ａ，５００ｂの下部を連結支持するスタンド連結具６００ａ，６００ｂと、スタンド連結具６００ａ，６００ｂを両側部に取り付けた水平旋回用アーム８０１と、図８に示すように水平旋回用アーム８０１の下部両側部に基部８１１を取り付け載置台８００の載置面に吸引吸着する弾性吸盤８１０を備えた吸着装置８２０と、からなる載置テレビ転倒防止装置。【００１０】（３）、図１〜図５に示すように、載置台６００にテレビ本体ＴＶを載置支持する際に用いる装置であって、テレビ本体ＴＶの液晶表示画面部枠体１００の上下各々の左右に係合止め用の鍵型アーム２０１ａ，２０１ｂ，４０１ａ，４０１ｂを先部に形成した第一水平支持アーム２００ａ，２００ｂ及び第二水平支持アーム４００ａ，４００ｂと、液晶表示画面部枠体１００の後部の左右に先端部を当接係合具９０１ａ，９０１ｂで係合連結した第三水平支持アーム３００ａ，３００ｂと、液晶表示画面部枠体１００の後方で前記第一・第二・第三水平支持アーム２００ａ，２００ｂ，４００ａ，４００ｂ，３００ａ，３００ｂの後部をアーム連結具７００ａ−１，７００ａ−２，７００ｂ−１，７００ｂ−２，７００ｃ−１，７００ｃ−２で上下と前後に位置調節可能に支持連結するスタンドアーム５００ａ，５００ｂと、スタンドアーム５００ａ，５００ｂの下部を連結支持するスタンド連結具６００ａ，６００ｂと、図９に示すようにスタンド連結具６００ａ，６００ｂの下部を連結支持し載置台８００の載置面に吸引吸着する弾性吸盤８１０を備えその弾性吸盤８１０の基部８１１をスタンドアーム５００ａ，５００ｂのスタンド連結具６００ａ，６００ｂに連結する吸着装置８２０と、からなる載置テレビ転倒防止装置。
【発明の効果】
【００１１】  本発明の載置テレビ転倒防止装置は、簡単で堅牢な構造により地震、外部振動等による振動をある程度吸収緩衝して、テレビ本体が転倒するのを確実に防止し、しかもインテリアディスプレイとして視覚的に見栄えが良く、またテレビ本体を移動設置する際は、その都度、容易に取り外し・取り付け作業ができ、またテレビの多種多様な形状仕様の変化に対処できる汎用性と簡便さを有し、更にテレビ画面の方向の変更は載置台を動かさずに容易に調節できる等の優れた機能を有するものである。
【図面の簡単な説明】
【００１２】
【図１】本発明の実施例１の側面説明図である。
【図２】図１の平面説明図である。
【図３】図１に示す当接係合具９０１ａ，９０１ｂの詳細な側面説明図である。
【図４】図１と図２に示すアーム連結具７００ａ−１，７００ｂ−１，７００ｃ−１で図２の矢視Ａ−Ａからの側面図（１）と同図（１）の矢視Ｃ−Ｃからの平面説明図（２）である。
【図５】図１と図２に示すアーム連結具７００ａ−２，７００ｂ−２，７００ｃ−２で図２の矢視Ｂ−Ｂからの側面図（１）と同図（１）の矢視Ｄ−Ｄからの平面説明図（２）である。
【図６】図１と図２に示すスタンド連結具６００ａ，６００ｂ部の詳細断面説明図である。
【図７】図１の矢視Ｅ−Ｅから見た断面説明図であり、水平旋回用アーム８０１を固定台８０２に旋回可能及び固定可能に装着した状態を示す。
【図８】実施例２の特徴部分つまり吸着装置８２０の取り付け状態を示す断面説明図である。
【図９】実施例３の特徴部分つまり吸着装置８２０の他の取り付け状態を示す断面説明図である。
【図１０】実施例４として、アーム連結具７００ａ−１，７００ｂ−１，７００ｃ−１，７００ａ−２，７００ｂ−２，７００ｃ−２の変形例７００ａ−３を、図４に示す側面図により紹介する。
【発明を実施するための形態】
【００１３】  本発明を実施するための一形態を後述の実施例により詳細に説明する。
【実施例１】
【００１４】  載置台８００にスタンド脚部ＳＦを介してテレビ本ＴＶを載置支持する際に用いる実施例１の載置テレビ転倒防止装置は、各一対の第一・第二水平支持アーム２００ａ，２００ｂ，４００ａ，４００ｂと第三水平支持アーム３００ａ，３００ｂと、一対のスタンドアーム５００ａ，５００ｂと、アーム連結具７００ａ−１，７００ａ−２，７００ｂ−１，７００ｂ−２，７００ｃ−１，７００ｃ−２と、スタンドアーム５００ａ，５００ｂ下部のスタンド連結具６００ａ，６００ｂと、第三水平支持アーム３００ａ，３００ｂの当接係合具９０１ａ，９０１ｂｂと、水平旋回用アーム８０１と、固定台８０２とからなる。【００１５】  第一・第二水平支持アーム２００ａ，２００ｂ，４００ａ，４００ｂは、液晶表示画面部枠体１００の前部上下の左右各々の前方移動を係合止めする下向き¬形、上向き¬形の鍵型アーム２０１ａ，２０１ｂ，４０１ａ，４０１ｂを先部に形成してある。
第三水平支持アーム３００ａ，３００ｂは、液晶表示画面部枠体１００の後部中央部１０３の左右に先端部を当接係合具９０１ａ，９０１ｂで連結する。この当接係合具９０１ａ，９０１ｂの構造を図３に示す。
図３において、当接係合具９０１ａ，９０１ｂは、基部９０１ａ−１，９０１ｂ−１に第三水平支持アーム３００ａ，３００ｂの先端部を螺合連結させるか又は挿入して押えネジ２００ｓで位置固定し、前端に緩衝用のゴムラバー９０１ａ−２，９０１ｂ−２を有する。【００１６】  スタンドアーム５００ａ，５００ｂは、液晶表示画面部枠体１００の後方で前記第一・第二水平支持アーム２００ａ，２００ｂ，４００ａ，４００ｂ及び第三水平支持アーム３００ａ，３００ｂの後部を上下と前後に位置調節と固定支持を可能にしたアーム連結具７００ａ−１，７００ａ−２，７００ｂ−１，７００ｂ−２，７００ｃ−１，７００ｃ−１，７００ｃ−２で支持連結する。
このアーム連結具７００ａ−１，７００ｂ−１，７００ｃ−１を図４に示し、アーム連結具７００ａ−２，７００ｂ−２，７００ｃ−３の構造を図５に示す。
図４と図５において、アーム連結具７００ａ−１，７００ａ−２，７００ｂ−１，７００ｂ−２，７００ｃ−１，７００ｃ−２は何れも、各水平支持アームを螺合連結させるか又は挿入して押えネジ２００ｓで位置固定する連結部材７０１と、スタンドアームを螺合連結させるか又は挿入して押えネジ５００ｓで位置固定する連結部材７０２とからなる。【００１７】  スタンド連結具６００ａ，６００ｂを図６に示す。図６において、スタンド連結具６００ａ，６００ｂは、スタンドアーム５００ａ，５００ｂの下部を螺合連結させるか又は挿入して押えネジ５００ｓで位置固定する連結部材６００ａ−１，６００ｂ−１と、連結部材６００ａ−１，６００ｂ−１の下部を水平旋回用アーム８０１の両側部に取り付けるネジ８０４とからなる。
水平旋回用アーム８０１は、ネジ８０３により固定台８０２の中央部に水平旋回用アームを水平旋回可能に及び位置固定可能に連結支持し、固定台８０２はネジ８０５により載置台８００に固定する。
【実施例２】
【００１８】  実施例２は、図８に示すように前記水平旋回用アーム８０１の下部両側部に吸着装置８２０を設け、吸着装置８２０で載置台８００の載置面に吸引吸着するタイプの載置テレビ転倒防止装置であり、その他の構成は、実施例１と同一例にしたものでその詳細説明は省略する。
図８において、吸着装置８２０は、水平旋回用アーム８０１の下部に、基部８１１をネジ８１２で取り付け、その先の弾性吸盤８１０を載置台８００の載置面に吸引吸着するものである。
吸着装置８２０は前記したテレビ本体ＴＶや載置台８００からの震動や振動を吸収緩衝してテレビ本体の転倒を防止し、また弾性吸盤５０１の拡縮作用で部内の空気を追い出し吸引連結機能を強化する。
【実施例３】
【００１９】  実施例３は、図９に示すように連結具６００ａ，６００ｂの下部に直接、吸着装置８２０を設け、吸着装置８２０で載置台８００の載置面に吸引吸着するタイプの載置テレビ転倒防止装置であり、その他の構成は、実施例１と同一例にしたものでその詳細説明は省略する。
図９において、吸着装置８２０は、連結具６００ａ，６００ｂの下部に、基部８１１をネジ８１２で取り付け、その先の弾性吸盤８１０を載置台８００の載置面に吸引吸着するものである。
吸着装置８２０は前記したテレビ本体ＴＶや載置台８００からの震動や振動を吸収緩衝してテレビ本体の転倒を防止し、また弾性吸盤５０１の拡縮作用で部内の空気を追い出し吸引連結機能を強化する。
【実施例４】
【００２０】  実施例４として、前例のアーム連結具７００ａ−１，７００ｂ−１，７００ｃ−１，７００ａ−２，７００ｂ−２，７００ｃ−２の変形例７００ａ−３を図１０の側面図により紹介する。
本例のアーム連結具７００ａ−３は、第一・第二・第三水平支持アーム２００ａ−１の後部に周設したネジ部を挿入しナット７０１−２を両側端部に回転自在に嵌め止めした連結部材７０１−１と、スタンドアーム５００ａ−１に周設したネジ部を挿入しナット７０２−２を両側端部に回転自在に嵌めた連結部材７０２−１とからなり、ナット７０１−２、７０２−２を当該アームのネジ部に螺合してその回転で螺合位置を変化させて、水平支持アーム７００ａ−３の連結位置を上下と前後に位置調節しまた締め固定支持を可能にしたものである。
連結部材７０１−１と連結部材７０２−１は前例同様に所定角度関係で固定してよくまた回転可能に連結させておいてもよい。【００２１】  以上の各実施例で紹介した載置テレビ転倒防止装置は、第一・第二水平支持アーム２００ａ，２００ｂ，４００ａ，４００ｂと第三水平支持アーム３００ａ，３００ｂの先部により、液晶表示画面部枠体１００を六点支持して、その前後、左右、上下変位による転倒を確実に防止する。そして視覚的に前面からは第一・第二水平支持アーム２００ａ，２００ｂ，４００ａ，４００ｂの鍵型アーム２０１ａ，２０１ｂ，４０１ａ，４０１ｂの先部のみ見えるだけで、他は全て液晶表示画面部枠体１００の後部に位置してスマートに隠れる。【００２２】  また水平旋回用アーム８０１の旋回又は吸着装置８２０の位置変更によりテレビ本体を同時に旋回させて、その画面の方向変更を容易にする。
又、第一・第二水平支持アーム２００ａ，２００ｂ，４００ａ，４００ｂと第三水平支持アーム３００ａ，３００ｂの高さ位置と左右位置と前後位置をアーム連結具７００ａ−１，７００ａ−２，７００ｂ−１，７００ｂ−２，７００ｃ−１，７００ｃ−２で簡単に調節固定支持することにより液晶表示画面部枠体１００の多種多様な形状仕様の変化に対処することができる。【００２３】  更に吸着装置８２０でスタンドアーム５００ａ，５００ｂのスタンド連結具６００ａ，６００ｂを直接又は水平旋回用アーム８０１を介して載置台８００の載置面に吸着連結することにより液晶表示画面部枠体１００が強く震動や振動を受けてもこの震動や振動を吸着装置８２０の弾性吸盤８１０で吸収緩衝して液晶表示画面部枠体１００の破損は勿論のこと載置テレビ転倒防止装置自体の破損も確実に防止するものである。
また吸着装置８２０の弾性吸盤８１０は、震動や振動を受けると内部空気を小出しに排出し吸着力を益々増強して長期間のテレビ保持力を安定維持するものである。
【産業上の利用可能性】
【００２４】  本発明は前述の優れた効果を有するため、テレビ産業界の生産者は勿論、使用するユーザーにも多大な貢献をもたらすものである。
【符号の説明】
【００２５】ＴＶ：テレビ本体
１００：液晶表示画面部枠体
２００ａ，２００ｂ：第一水平支持アーム
３００ａ，３００ｂ：第三水平支持アーム
４００ａ，４００ｂ：第二水平支持アーム
２０１ａ，２０１ｂ，４０１ａ，４０１ｂ：鍵型アーム
５００ａ，５００ｂ：スタンド連結具
６００：載置台
７００ａ−１〜７０１ｃ−２：アーム連結具
８２０：吸着装置
９０１ａ，９０１ｂ：当接係合具
７０１−２、７０２−２：支持位置調節用のナット
【図１】
2012235433.tif 000003
【図２】
2012235433.tif 000004
【図３】
2012235433.tif 000005
【図４】
2012235433.tif 000006
【図５】
2012235433.tif 000007
【図６】
2012235433.tif 000008
【図７】
2012235433.tif 000009
【図８】
2012235433.tif 000010
【図９】
2012235433.tif 000011
【図１０】
2012235433.tif 000012